(57)【要約】  硬質体釣り用ルアーのパドルおよびキール組立体は、貫通する係止孔を有するパドルと、その一方の面に対して形成されるキールを有し、パドルをキールへ固定するようい係止孔を貫通して延在する、貫通するプルポイントスロットと、全ての構成要素がｘ−ｙ−ｚ座標に固定されるようにプルポイントスロット内にあるワイヤ部材とを利用する。【選択図】図１
2018501823.tif 000002
【特許請求の範囲】
【請求項１】
硬質体釣り用ルアー（１７）と共に使用される潜水パドル組立体であって、
ａ．前記硬質体釣り用ルアーの前部に形成されたスロット（１８）に挿入されるよう寸法設定された少なくとも１つの縁部を有するパドル（１１）であって、前記パドル（１１）を貫通して形成された複数の開口（１２、１４）を有するパドル（１１）と、
ｂ．前記パドル（１１）の一方の表面から延在するループを形成するように前記複数の開口のうちの少なくとも１つ（１２）を通って延在するように寸法設定され、前記パドルの対向する表面上で前記複数の開口のうちの前記少なくとも１つを越えて延在する両端を有するワイヤ部材（１３）と、
ｃ．前記パドル（１１）の前記対向する面に取り付けられたプラスチック製のキール（１５）であって、前記ワイヤ部材（１３）の前記両端を覆い、前記複数の開口（１２、１４）を通って延在して前記パドル（１１）を前記キール（１５）へ固定するようにし、それにより前記パドル、キール、およびワイヤ部材が直交する平面内で正確に位置合わせされ、前記キールが、前記硬質体釣り用ルアーの前部の前記スロットの中に前記パドルと隣接して延在し該スロットに固定される部分を有する、プラスチック製のキール（１５）と、を備えることを特徴とする潜水パドル組立体。
【請求項２】
前記プラスチック製のキール（１５）が、前記硬質体釣り用ルアーを長手方向に貫通する垂直平面のいずれかの側で前記硬質体釣り用ルアーから前方へ延在する、請求項１に記載の潜水パドル組立体。
【請求項３】
前記複数の開口が、前記パドルを貫通して形成される少なくとも１つの係止孔（１４）および前記パドル（１１）を貫通して形成される少なくとも１つのスロット（１２）を含み、前記ループが、前記スロットを貫通して延在し、前記プラスチック製のキールに埋め込まれ、前記プラスチック製のキールは、前記少なくとも１つの係止孔内に係合固定されている、請求項２に記載の潜水パドル組立体。
【請求項４】
前記少なくとも１つのスロット（１２）が、前記垂直平面から偏位している、請求項３に記載の潜水パドル組立体。
【請求項５】
前記パドルが波形状である、請求項１に記載の潜水パドル組立体。
【請求項６】
硬質体釣り用ルアーと共に使用される潜水パドル組立体であって、
ａ．前記硬質体釣り用ルアー（１７）の前部に形成されたスロット（１８）に挿入されるよう寸法設定された少なくとも１つの縁部（２１）を有するパドル（１１）であって、前記パドル（１１）を貫通して形成された少なくとも１つのスロット（１２）を有するパドル（１１）と、
ｂ．前記パドルの一方の表面から延在するループを形成するように前記少なくとも１つのスロットを通って延在するように寸法設定され、前記パドルの対向する表面上で前記少なくとも１つのスロットを越えて延在する両端を有するワイヤ部材（１３）と、
ｃ．前記硬質体釣り用ルアーの前部に挿入されるように前記パドル（１１）および前記ワイヤ部材（１３）に取り付けられるプラスチック製のキール（１５）と
を備え、
前記パドルが、前記キールの一方の側に延在する大突出部（３１）および前記キールの対向する側に延在する小突出部（３２）を有する、潜水パドル組立体。
【請求項７】
前記プラスチック製のキールが、前記硬質体釣り用ルアーを長手方向に貫通する垂直平面のいずれかの側で前記硬質体釣り用ルアーから前方へ延在し、前記大突出部（３１）および前記小突出部（３２）が、前記垂直平面に対して垂直に、互いに反対方向に延在する、請求項６に記載の潜水パドル組立体。
【請求項８】
前記少なくとも１つのスロットが、前記垂直平面から偏位している、請求項７に記載の潜水パドル組立体。
【請求項９】
前記パドルが、前記スロット（１８）に挿入される基縁部（２１）と、前記基縁部と９０度超の夾角を規定する第１の側縁部（２２）であって、前記本体の外側かつ前方へ向けて前記基縁部およびスロットから延在する前記第１の側縁部と、第２の側縁部（２３）であって、前記基縁部から外側へ第１の側縁部より大きな角度で延在し、それにより、前記第１および第２の側縁部が、基縁部２１に向けて異なる率で収束する、第２の側縁部（２３）と、第１の側縁部の最前延長部から、前記本体の中心線に向けて延在して第１の側縁部（２２）と鈍角を形成する前方縁（２４）と、前記前方縁と接続し、前記前方縁（２４）と接続部でわずかに鋭角を形成して前記本体の前記中心線と交差する前縁部（２５）と、によって規定され、前記第１の側縁部、前方縁および前縁部が、前記本体の中心線の一方の側に延在する大突出部の境界を規定する、請求項６に記載の潜水パドル組立体。
【請求項１０】
前記前縁部（２５）と第２の側縁部（２４）の外側端との間に延在し、前記前縁部（２５）と接続部で鈍角を形成し、前記第２の側縁部（２４）と接続部でわずかに鋭角を形成する第２の前縁部（２６）をさらに含む、請求項９に記載の潜水パドル組立体。
【請求項１１】
硬質体釣り用ルアー（１７）と共に使用される潜水パドル組立体であって、
ａ．前記硬質体釣り用ルアー（１７）の前部に形成されたスロット（１８）に挿入されるよう寸法設定された少なくとも１つの縁部（２１）を有するパドル（１１）と、
ｂ．前記パドル（１１）の表面から延在するプルループ（１３）と、
ｃ．プラスチック製のキール（１５）であって、前記パドルの対向する表面に成形され、前記パドル（１１）を前記キール（１５）に固定するように前記プルループを覆い、それにより、前記パドル（１１）、キール（１５）、およびプルループ（１３）が、直交する平面内で正確に位置合わせされ、前記キールが、前記硬質体釣り用ルアーの前部に形成された開口に前記パドルと隣接して延在し該開口に固定される部分を有するプラスチック製のキール（１５）と
を備える、潜水パドル組立体。
【請求項１２】
前記パドルが波形状である、請求項１１に記載の潜水パドル組立体。
【請求項１３】
硬質体釣り用ルアー（１７）と共に使用される潜水パドルであって、前記硬質体釣り用ルアーの前部に形成されたスロット（１８）に挿入されるよう寸法設定された少なくとも１つの縁部（２１）を有する実質的に平坦な本体（１１）を備え、前記パドルが、前記スロットの一方の側に延在する大突出部（３１）および前記スロットの対向する側に延在する小突出部（３２）を有する、潜水パドル。
【発明の詳細な説明】
【技術分野】
【０００１】
[0001]本発明は、釣り用ルアーに関し、より具体的には、潜水パドルおよび／またはプルポイントをハードボディルアーに取り付けることに関する。より具体的には、本発明は、釣り用ルアーの強度および正確な位置合わせ機能を向上する、互いに連結されるパドルおよびキールの設計に関する。
【背景技術】
【０００２】
[0002]多くの釣り用ルアーは、ガラス繊維エポキシ積層材料または同様の剛性材料からなるパドルを使用しており、このパドルは、釣り用ルアーのスロットに接着され、ルアーが真っすぐ水中を進むように手調整される。こうした手調整は、パドルとルアーの位置合わせ不良のために、しばしば必要とされる。したがって、位置合わせ不良を減少させるためにパドルのルアーへの取り付けを改良して、手調整の量を最小化する必要がある。本発明者にとって既知の釣り用ルアーは一般に、投げ釣り装置を使用してリトリーブされる（換言すれば、巻き取られる）ときに、左右対称の潜水パドルを使用して硬質体ルアー（クランクベイトとしても知られる）が動く深さを制御する。こうしたルアーは、ルアー本体またはフックの前方でパドルまたはブレードが木の枝などの障害物にしばしば遭遇する状態で、ノーズを下にした形で動く。典型的には、リトリーブ用釣り糸が連結されているプルポイントは、潜水パドルの中心線に沿って取り付けられる。プルリングの位置決めが、リトリーブされる際にルアーが適正に動くことを可能にするために必要と考えられてきた。したがって、物理的原理の完全な理解なしにプルリングを手動で操作すると、不安定で不規則なルアーのリトリーブになる。
【発明の概要】
【発明が解決しようとする課題】
【０００３】
[0003]本発明の全般的な目的は、釣り用ルアーの強度および釣り用ルアーにパドルが正確に位置合わせする機能を向上させることである。これを達成するため、ルアー本体に正確に挿入されて、取り付けられたパドルが正しく配置されることを確実にする成形キールを使用する。
【０００４】
[0004]本発明の別の全般的な目的は、釣り用ルアーが水中の木の枝および岩などの水面下の障害物に引っ掛かることを防ぐことである。
【課題を解決するための手段】
【０００５】
[0005]一実施形態では、クランクベイトが、偏向してルアーを障害物から回転して離させる偏心パドルを備える。
[0006]別の実施形態によれば、クランクベイトが、逆の偏心の偏心パドルを備えて、偏向を起こす。
【０００６】
[0007]本明細書に添付され、本開示の一部を形成する図面を参照して、以下を明らかにすることができる。
【図面の簡単な説明】
【０００７】
【図１】[0008]パドルのプルポイントのワイヤ部材および成形キールの分解図である。
【図２】[0009]パドルおよびキール組立体を定位置に受容するスロットを示すクランクベイトまたは他のハードボディルアーの側面図である。
【図３】[00010]パドルおよびキール組立体を定位置に有するクランクベイトまたは他のハードボディルアーの断面図である。
【図４】[00011]好ましいパドルの平面図である。
【図５】[00012]キールに固定され、本体に挿入された好ましいパドルの斜視図である。
【図６】[00013]障害物に遭遇するクランクベイトのパドルの一実施形態の斜視図である。
【図７】[00014]図１の実施形態が障害物に引っ掛かることを避けるため回転することを示す斜視図である。
【図８】[00015]パドルおよびキールの第２の実施形態の側面図である。
【図９】[00016]パドルの第２の実施形態の平面図である。
【図１０】[00017]図９の１０−１０線に沿う断面図である。
【図１１】[00018]図９の１１−１１線に沿う断面図である。
【図１２】[00019]パドルおよびキールの第３の実施形態の斜視図である。
【図１３】[00020]第３の実施形態の分解図である。
【図１４】[00021]第３の実施形態のパドルの側面図である。
【発明を実施するための形態】
【０００８】
[00022]上記の目的の１つ以上は、上部パドル、プルポイント(pull-point)およびキール(keel)を正確に位置合わせするためにインサート成形された組立体を提供することにより、少なくとも部分的に、達成することができる。図１を参照すると、本実施形態では、パドル１１がスロット１２を備えており、これを通してワイヤ状のプルポイント１３を挿入することができ、それによりクローズドアイＥ（ｃｌｏｓｅｄ  ｅｙｅ  Ｅ）がパドルおよびプルポイントによって形成されることに留意されたい。パドルは、好適な位置にスロット１２を有し、ならびに、任意の構成、すなわち、円形、正方形、長方形、溝とし得る１対の係止孔１４を有するように穴が開けられている。穴開きパドル１１およびプルポイント１３は、射出成形金型の精密ポケット(precision pocket)に挿入される。この金型は、密閉され、係止孔１４およびスロット１２を通って流れるプラスチックが射出される。プラスチックは、硬化して剛性キール１５を形成し、プルポイント１３をパドル１１に、パドル１１をキール１５に係止する。この工程により、Ｘ、Ｙ、およびＺ平面においてパドル１１、キール１５およびプルポイント１３が正確に位置合わせされ、その結果できる組立体はルアー本体１７に挿入する準備ができた状態になっている。
【０００９】
[00023]プルポイント１３はまた、熱かしめによってプルポイント１３をパドル１１へ正確に位置合わせすることができる。熱かしめでは、金属製のプルポイント１３が、挿入物よりわずかに小さいパドル１１の鋳抜き穴またはドリル穴に配置される。この穴は、所定の程度の締めしろ（ｉｎｔｅｒｆｅｒｅｎｃｅ）を備え、また、プルポイントワイヤ部材を適所に導く働きをする。サーマルチップからの熱は、プルポイントを介して、金属とプラスチックの界面へ移動する。サーマルチップにより発生した熱は、パドル１１のプラスチックを溶かし、サーマルチップが前進するにつれ、プルポイントがパドルに埋め込まれる。溶融したプラスチックは、プルポイントの鋸歯状切れ込み、突出部、またはアンダーカットに流れ込み、熱が終わると、プラスチックは再度凝固して、プルポイント１３は、パドル１１の適所に確実に封入される。もちろん、ワイヤ状のプルポイントがパドルを貫通して延在し、パドルに埋め込まれさえすれば、その厳密な構成は多様であってよい。
【００１０】
[00024]パドル１１は、任意の形状および任意の好適な材料とすることができ、プルポイント１３および協働スロット１２は、水中でルアーの動きを向上させる必要のため、ルアー本体１７の中心線上またはそのいずれかの側に配置することができる。図２を参照すると、マウススロット１８が、成形ルアー本体１７に形成されて、キール１５およびパドル１１が正確にルアー本体１７と嵌合するように、パドル組立体の横断面を受け入れる。パドル組立体は、音波溶接または接着剤によって、適切に、ルアー本体１７に固定することができる。パドルおよびキールは、その中に埋め込まれたプルポイント１３と一体成型ユニットとすることができることが、図８〜１１に示される。
【００１１】
[00025]好ましい実施形態では、パドル１１上に中心を外れたプルポイント１３を配置することにより水に覆われた状況でより容易に偏向するための、硬質の本体１７またはクランクベイト型の釣り用ルアー上の左右非対称なパドル１１またはリップを利用する。本発明をより理解するために図を参照すると、本発明が連結されるルアーが、全体的に安定して(balanced)、軽量バルサ(balsa)すなわちプラスチック本体１７内に重さを含んでいることに留意されたい。本体１７は、フックハンガーおよび本体１７の下に吊り下げられるフック（図示せず）と共にノーズ３２およびテール３３を含む。横方向マウススロット１８は、ノーズ３２のわずか下で本体１７に形成される。本体１７の中央水平面に対するスロット１８の傾きは、スロット１８に挿入されそこに固定されたパドル１１上に取り付けられたプルポイント１３に連結された釣り糸（図示せず）によって、水を介して引っ張られるとき、ルアーが動くことを予期される深さに応じて変化する。
【００１２】
[00026]パドル１１は、パドルの長手方向軸またはパドルが取り付けられるルアーの長手方向軸の周りに左右対称であった既知の従来技術によるパドルと異なる。すなわち、従来技術によるルアーのプルポイントは、典型的には、パドルまたはルアーの中心線に沿っていた。図に示す実施形態では、パドルは、１対の左右非対称な突出部または側部を有する。パドルの形状は、スロット１８に挿入される基縁部２１および基縁部２１との９０度超の夾角を規定する第１の側縁部２２を含む。このように、第１の側縁部２２は、ノーズ３２の下方の本体１７の外側及び前方に向けて、スロット１８から延在する。第２の側縁部２３は、基縁部２１の端部から外側に第１の側縁部２２よりわずかに大きい角度で延在する。したがって、第１および第２の側縁部は、基縁部２１の方へ収束するが、率は異なる。前方縁２４は、第１の側縁部２２の最前延長部から本体１７の中心線方向へ延在し、接続点Ａで第１の側縁部２２と鈍角を形成する。前縁部２５は、前方縁２４と接続し、接続点Ｆで前方縁２４とわずかに鋭角を形成して本体１７の中心線と交差する。第２の前縁部２６は、前縁部２５と第２の側縁部２３の端部との間を延在し、接続部Ｃで前縁部２５と鈍角を形成し、接続部Ｂで第２の側縁部２３とわずかに鋭角を形成する。したがって、第１の側縁部２２、前方縁２４および前縁部２５は、本体１７の中心線の一方の側上に存在する大突出部３１の境界を規定する。この大突出部３１は、パドル１０の最前延長部を規定する。前縁部２５、第２の前縁部２６および第２の側縁部２２は、本体１７の中心線の他方の側上に存在するパドル１０の第２の突出部３２の外部境界を規定する。このように、前縁部２５は、パドル１０の最前方部から中心線を横断しかつ後方向に延在して、第２の前縁部２６と連結する。
【００１３】
[00027]本明細書上部に記載の縁部それぞれは、線形またはわずかに湾曲し、縁部の交差によって規定される角それぞれは、夾角と考えられるが、縁部の物理的連結部は、円形でも尖っていてもよいことを理解されたい。同様に、前縁部２５および第２の前縁部２６は、接続部Ｆの前方縁２４から接続部Ｂの第２の側縁部２３へ延在する単一の湾曲した前縁部を形成することができる。
【００１４】
[00028]ラインアイすなわちプルポイント１３は、本体１７の中心線を外れて大突出部３１内に取り付けられる。中心線から外れたラインアイを備え、かつルアーの前方に延在する大突出部３１を備えることにより、ルアーが障害物に遭遇した場合、それは、前縁部２５および前方縁２４が本体１７の高さより下にあるときであり、それらが障害物に遭遇する。図６および７に示すように、ラインアイは、ルアーの中心線上にないので、接続部Ｆと接続部Ａとの間で障害物に遭遇した場合、ルアーが垂直になり釣り糸にかかる張力によってルアーが移動し障害物を通り越すようになるまで、ルアーは、リップと障害物との間の接触点の周りを枢動する。障害物に、接続部Ｆと接続部Ｂとの間で遭遇した場合、ルアーは、障害物の周囲を単に滑走し、自由であり続ける。様々な変形例を図に示す。Ｙ字型の木の枝に対して、大突出部が、小突出部より前に１つのＹ字の枝に遭遇する可能性が高く、したがって、両方の突出部が係合される前にルアーの枢動動作が開始されることに留意されたい。
【００１５】
[00029]パドル１１の長さに沿うラインアイ１３の位置を変化させて、ルアーに種々の水中進行の特徴を与えることができ、スロット１８の角度を変化させて、種々の水中進行の特徴を与えることができることに留意されたい。しかし、ほとんどの例では、ルアーは、水平面に対してノーズを下にした状態で「水中を進行（ｓｗｉｍ）」し、パドルの縁部が障害物に遭遇する最初の点になり、腹部フック１６はパドルによって障害物から遮蔽される。フック１６は、また、パドルが障害物によってひっくり返る、枢動する、または滑走するとき、障害物を回避する。
【００１６】
[00030]図１２〜１４に示す第３の実施形態では、キール１５’が、波状の(undulating)または非平坦なパドル１１’と嵌合するよう適合される。この実施形態では、キールは、パドル１１’の波形と一致する波状の上部面４１を備えて形成される。先行実施形態のように、穴が開けられたパドル１１’およびプルポイント１３’は、射出成形金型の精密ポケットに挿入される。この金型は密封されて、プラスチックが射出され、プラスチックは係止孔１４’およびスロット１２’を通って流れ、そして硬化して剛性キール１５’を形成して、プルポイント１３’をパドル１１’へ、パドル１１’をキール１５’へ係止し、それにより、Ｘ、ＹおよびＺ平面においてパドル１１’、キール１５’およびプルポイント１３”を正確に位置合わせし、その結果できる組立体は、ルアー本体１７に挿入する準備ができた状態になっている。
【００１７】
[00031]上述の明細書では、本発明をその特定の実施形態に関連して説明してきたが、多くの詳細は、例示目的のために記述されており、本発明は追加の実施形態の影響を受けやすく、本明細書に記載の特定の詳細が、本発明の基礎的な原理から逸脱することなく大きく変化する可能性があることは同業者には明らかであろう。
【図１】
2018501823.tif 000003
【図２】
2018501823.tif 000004
【図３】
2018501823.tif 000005
【図４】
2018501823.tif 000006
【図５】
2018501823.tif 000007
【図６】
2018501823.tif 000008
【図７】
2018501823.tif 000009
【図８】
2018501823.tif 000010
【図９】
2018501823.tif 000011
【図１０】
2018501823.tif 000012
【図１１】
2018501823.tif 000013
【図１２】
2018501823.tif 000014
【図１３】
2018501823.tif 000015
【図１４】
2018501823.tif 000016
【国際調査報告】
2018501823.tif 000017